(57)【要約】      （修正有）【課題】  印刷物に記された情報を、所定エリア内でカメラ付き携帯端末により盗撮されるのを防止するが、所定エリア外では撮像可能とする。また、前記エリア内で盗撮された場合でも、料金の支払い等の条件を満たせば、この情報を取得可能とする。【解決手段】  印刷物に記された情報に、可視光を透過させ、赤外線を反射する第１の赤外線蛍光塗料を付す構成とした。また、印刷物は、第１の赤外線蛍光塗料で印刷した領域と、第１の赤外線蛍光塗料とは赤外線とは異なる波長の赤外線に反応する第２の赤外線反射塗料で印刷した領域とをさらに有する構成とした。【選択図】なし【特許請求の範囲】
【請求項１】
印刷物に記された情報を、撮像装置により撮像されることを防ぐ印刷物であって、
前記印刷物に記された情報に、可視光を透過し、赤外線を反射する第１の赤外線反射塗料を付したことを特徴とする印刷物。
【請求項２】
印刷物に記された情報を、撮像装置により撮像されることを防ぐ印刷物であって、
前記印刷物に記された情報に、可視光を透過し、赤外線を反射する第１の赤外線反射塗料を付した領域と、
前記印刷物に記された情報を、前記第１の赤外線反射塗料が反射する赤外線とは異なる波長の赤外線を反射する第２の赤外線反射塗料で印刷した領域とを有することを特徴とする印刷物。
【請求項３】
印刷物に記された情報を、撮像装置により撮像されることを防ぐ印刷物であって、
前記印刷物に記された情報に、可視光を透過し、赤外線を反射する第１の赤外線反射塗料を付した領域と、
前記第１の赤外線反射塗料で、所定の情報を格納するサーバのアドレス情報を印刷した領域、または暗号化された情報とこの情報の復号キーを格納するサーバのアドレス情報とを印刷した領域とを有することを特徴とする印刷物。
【請求項４】
前記印刷物は、前記第１の赤外線反射塗料が反射する赤外線とは異なる波長の赤外線を反射する第２の赤外線反射塗料で、前記印刷物が所定エリア外であることを示すエリア外識別情報を印刷した領域をさらに有することを特徴とする請求項３に記載の印刷物。
【請求項５】
前記印刷物に用いられる各赤外線反射塗料は、前記塗料に照射された光を赤外線に蛍光反射する赤外線蛍光塗料であることを特徴とする請求項１ないし請求項４のいずれか１項に記載の印刷物。
【請求項６】
前記印刷物に記された情報は、ＵＲＬ（Uniform Resource Locator）形式で記述されていることを特徴とする請求項１ないし請求項５のいずれか１項に記載の印刷物。
【請求項７】
前記印刷物に記された情報は、二次元コードにより記されていることを特徴とする請求項１ないし請求項５のいずれか１項に記載の印刷物。
【請求項８】
請求項１ないし請求項４のいずれか１項に記載の印刷物の盗撮防止システムであって、
前記印刷物の、前記第１の赤外線反射塗料には反射されるが、前記第１の赤外線反射塗料が反射する赤外線とは異なる波長の赤外線を反射する第２の赤外線反射塗料には反射されない波長の赤外線を照射する赤外線照射装置を含むことを特徴とする盗撮防止システム。
【請求項９】
請求項３または請求項４に記載の印刷物に記された情報を前記撮像装置経由で取得する端末装置と、前記情報の復号キーを送信するサーバとによる情報送信方法であって、
前記端末装置は、
前記撮像装置から出力された画像を取得するステップと、
前記撮像装置から出力された画像から、前記印刷物に記された情報を読み取るステップと、
前記読み取った情報に示されるアドレス情報に基づき、ネットワーク経由で前記サーバへ前記情報取得要求を送信するステップと、
を実行し、
前記サーバは、
前記情報自体、または前記暗号化された情報の復号キーを格納する記憶部を備え、
前記ネットワーク経由で、前記端末装置から情報取得要求を受信するステップと、
前記情報取得要求に含まれる位置情報から、前記端末装置が所定エリア内にいるか否かを判断するステップと、
前記端末装置が所定エリア内にいると判断したとき、前記情報を取得するための条件を示したメッセージを送信するステップと、
前記端末装置から、前記情報を取得するための条件に応じる旨のメッセージを受信したとき、前記記憶部から前記受信した情報取得要求の要求対象である情報、または前記復号キーを読み出すステップと、
前記読み出した復号キーを前記端末装置へ送信するステップと、
を実行することを特徴とする情報送信方法。
【請求項１０】
請求項３または請求項４に記載の印刷物に記された情報を取得する端末装置と、前記情報の復号キーを送信するサーバとによる情報送信方法であって、
前記端末装置は、
前記撮像装置から出力された画像を取得するステップと、
前記撮像装置から出力された画像から、前記印刷物に記された情報を読み取るステップと、
前記読み取った情報に示されるアドレス情報に基づき、ネットワーク経由で前記サーバに情報取得要求を送信するステップと、
を実行し、
前記サーバは、
前記ネットワーク経由で、前記端末装置から情報取得要求を受信するステップと、
前記受信した情報取得要求に前記エリア外識別情報が含まれているか否かを判断するステップと、
前記受信した情報取得要求に前記エリア外識別情報が含まれていたとき、前記記憶部から前記受信した情報取得要求の要求対象である情報または、前記復号キーを読み出すステップと、
前記読み出した情報または復号キーを前記端末装置へ送信するステップと、
を実行することを特徴とする情報送信方法。
【発明の詳細な説明】
【技術分野】
【０００１】
本発明は、撮像装置を備える端末装置に、情報が盗撮されることを防止する印刷物、盗撮防止システム等に関する。より詳細には、書店等において印刷物（書籍、雑誌）に印刷された情報がデジタルカメラ付き携帯端末等により盗撮されるのを防止する印刷物、盗撮防止システム等に関する。
【背景技術】
【０００２】
近年、デジタルカメラを搭載した携帯端末の増加およびこの携帯端末の小型化に伴い、他人に知られることなく、被写体を撮像することが可能となっている。このため書店等において、携帯端末の利用者が、書籍を購入することなく書籍に印刷された情報を盗撮する、いわゆるデジタル万引きが増加している。
【０００３】
この書籍に印刷された情報は、例えば、飲食店、服飾店等の地図、住所、電話番号、ＵＲＬ（Uniform Resource Locator）、店舗情報識別コード、またはそれらを示す二次元コード（例えば、ＱＲコード（登録商標）、Quick Response code）等の店舗関連情報である。
【０００４】
従来、このような盗撮を防止する技術として、可視光外の光線による撮像妨害方法、撮像禁止信号による撮像防止方法等がある（例えば、非特許文献１参照）。
【０００５】
また、可視光外の光線による撮像妨害方法としては、映像等とは別に、スクリーンへ赤外線によるメッセージ等を投影する技術が開示されている。肉眼で見ることができる光の波長範囲は、４００ｎｍから８００ｎｍ程度であるのに対して、デジタルカメラの感度は、４００ｎｍから１１００ｎｍ程度である（例えば、非特許文献２参照）。このため、赤外線によるメッセージは肉眼では見えないが、デジタルカメラ等で撮像すると映像に重ねて記録され、これにより撮像を妨害したり、盗撮されたものであることを判別可能としたりするものである。
【０００６】
さらに、スクリーンに照射された可視光外の光の強度を、映像等の輝度および周波数に応じて調整することにより、より最適に可視光外の光による電子透かしの埋め込みを可能とする技術もある。
【０００７】
また、このほかに
（１）盗撮を防止したい被写体付近に赤外線ランプを設置し、この赤外線ランプから赤外線を照射することにより、撮像を妨害する技術
（２）被写体に赤外線を照射するとともに赤外線の光量を周期的に増減し、カメラの露光を変動させることにより撮像を妨害する技術
（３）被写体に赤外線を照射し撮像を妨害するが、特定のＩＤが認識された場合は、所定の時間照射を停止し、撮像可能とする技術
等もある。
【０００８】
さらに、デジタルカメラ付き携帯端末（携帯端末）の撮像禁止信号による撮像防止方法としては、
（１）撮像禁止対象物の近くに設置される装置から、撮像禁止信号を受信すると、携帯端末等が撮像機能をオフにする技術
（２）被撮像者（被写体）の端末装置が、撮像者の携帯端末から送信される撮像中信号を受信すると、被写体の端末装置から、撮像者の携帯端末へ撮像機能を無効にする撮像禁止信号を送信する技術
（３）被写体に埋め込まれた撮像禁止情報を携帯端末が検出すると、撮像した画像を塗りつぶして利用できなくする技術
等もある。
【非特許文献１】デジタル万引きの防止対策、[online]、[2005年3月30日検索]、インターネット、<URL:http://tantei.web.infoseek.co.jp/shoplist>
【非特許文献２】ＣＱ出版社、「ＣＭＯＳ／ＣＣＤセンサの基礎と応用製作」、トランジスタ技術、２００５年２月号、第４２巻、第２号、ｐ.１０６−１１１
【発明の開示】
【発明が解決しようとする課題】
【０００９】
しかし、従来の可視光外の光線による撮像妨害方法では、書店等におけるデジタル万引きを防止するためには、書籍、雑誌全体を赤外線で照射する必要があり、著作権フリーの情報等、撮像を防止する必要のない情報まで撮像不可能となってしまうという問題があった。
【００１０】
また、従来の可視光外の光線による撮像妨害方法では、一律に書店内での撮像を妨害してしまうため、例えば、書店内においても特定の店舗関連情報のコンテンツを購入した利用者には、その情報のみ取得を可能とする、あるいは、書店の会員はその書店内において特定の情報の取得を可能とする等、条件付きのサービスの提供ができないといった問題もあった。
【００１１】
さらに、印刷物は、肉眼で見える色以外の波長の光線を吸収してしまう。すなわち、例えば、青い印刷物は、青の波長の光線を反射するが、青以外波長の光線は吸収するため、肉眼では青く見える。また、黒い印刷物は、すべての波長の光線を吸収するため肉眼では黒く見える。このため、赤外線を照射しても印刷物に吸収されてしまうため、充分に判読不可能とするのは難しいという問題もあった。
【００１２】
また、撮像禁止信号による撮像防止方法では、撮像禁止信号を撮像装置が受信あるいは検出した場合には、撮像機能をオフにする機能が撮像装置に必要である。このため、既に販売されているデジタルカメラ付き携帯端末によるデジタル万引き防止には有効ではないという問題があった。
【００１３】
本発明は、前記した問題を解決し、
（１）書店、コンビニエンスストア等、所定のエリア内においては、デジタルカメラ付き携帯端末により、印刷物に記された情報の盗撮を防止すること
（２）所定のエリア内において情報の料金の支払いといった条件を満たした場合は印刷物に記された情報を取得すること
（３）印刷物を購入し、所定のエリア外に持ち出した場合においては、例えば無料といったエリア外の条件にしたがい、印刷物に記された情報を取得すること
を可能とする手段を提供することを課題とする。
【課題を解決するための手段】
【００１４】
前記した課題を解決するため、本発明の印刷物は、印刷物に記された情報を、撮像装置により撮像されることを防ぐ印刷物であって、前記印刷物に記された情報に、可視光を透過し、赤外線を反射する第１の赤外線反射塗料を付したことを特徴とする印刷物とした。
【００１５】
これにより、書店等で印刷物に赤外線を照射すれば、撮像装置（デジタルカメラ、デジタルカメラ付き携帯端末等）により印刷物に記された情報が盗撮されるのを防止できる。
【００１６】
本発明の印刷物は、印刷物に記された情報を、撮像装置により撮像されることを防ぐ印刷物であって、前記印刷物に記された情報に、可視光を透過し、赤外線を反射する第１の赤外線反射塗料を付した領域と、前記印刷物に記された情報を、前記第１の赤外線反射塗料が反射する赤外線とは異なる波長の赤外線を反射する第２の赤外線反射塗料で印刷した領域とを有することを特徴とする印刷物とした。
【００１７】
これにより、この印刷物の購入者は、赤外線を照射している書店等では撮像できないが、印刷物を購入する等して、書店外（太陽光下や蛍光灯下）に持ってくれば、印刷物に記された情報を撮像することができる。
【００１８】
本発明の印刷物は、印刷物に記された情報を、撮像装置により撮像されることを防ぐ印刷物であって、前記印刷物に記された情報に、可視光を透過し、赤外線を反射する第１の赤外線反射塗料を付した領域と、前記第１の赤外線反射塗料で、所定の情報を格納するサーバのアドレス情報を印刷した領域、または暗号化された情報とこの情報の復号キーを格納するサーバのアドレス情報とを印刷した領域をさらに有することを特徴とする印刷物とした。
【００１９】
これにより、この印刷物を、ネットワーク経由で、サーバにアクセスできる端末装置で読み込み、所定の情報を格納するサーバにアクセスすることができる。また、利用者による料金の支払い等、所定の条件を満たせば、暗号化された情報の復号キーの取得し、所望の情報（データ）を取得することができる。
【００２０】
本発明の印刷物は、前記第２の赤外線反射塗料で、前記印刷物が所定エリア外であることを示すエリア外識別情報を印刷した領域をさらに有することを特徴とする印刷物とした。
【００２１】
これにより、この印刷物を読み込んだ端末装置は、所定のエリア（赤外線下）ではエリア外識別情報を読み取らないが、それ以外のエリア（太陽光下や白熱灯下）ではエリア外識別情報を読み取るので、サーバは、デジタルカメラ付き携帯端末からの情報取得要求が、所定エリア内からのものであるか、それ以外のエリアからのものであるかを判断できる。
【００２２】
本発明の情報送信方法は、印刷物に記された情報を前記撮像装置経由で取得する端末装置と、前記情報の復号キーを送信するサーバとによる情報送信方法であって、前記端末装置は、前記撮像装置から出力された画像を取得するステップと、前記撮像装置から出力された画像から、前記印刷物に記された情報を読み取るステップと、前記読み取った情報に示されるアドレス情報に基づき、ネットワーク経由で前記サーバへ前記情報取得要求を送信するステップとを実行し、前記サーバは、前記情報自体、または前記暗号化された情報の復号キーを格納する記憶部を備え、前記ネットワーク経由で、前記端末装置から情報取得要求を受信するステップと、前記情報取得要求に含まれる位置情報から、前記端末装置が所定エリア内にいるか否かを判断するステップと、前記端末装置が所定エリア内にいると判断したとき、前記情報を取得するための条件を示したメッセージを送信するステップと、前記端末装置から、前記情報を取得するための条件に応じる旨のメッセージを受信したとき、前記記憶部から前記受信した情報取得要求の要求対象である情報、または前記復号キーを読み出すステップと、前記読み出した情報あるいは復号キーを前記端末装置へ送信するステップとを実行することを特徴とする情報送信方法とした。
【００２３】
これにより、端末装置が、書店内等の所定エリア内において印刷物の情報を撮像し、情報を取り込んだとき、情報の料金の支払いといった取得条件を満たせば、この情報を取得することができる。
【００２４】
本発明の情報送信方法は、印刷物に記された情報を取得する端末装置と、前記情報の復号キーを送信するサーバとによる情報送信方法であって、前記端末装置は、前記撮像装置から出力された画像を取得するステップと、前記撮像装置から出力された画像から、前記印刷物に記された情報読み取るステップと、前記読み取った情報に示されるアドレス情報に基づき、ネットワーク経由で前記サーバに情報取得要求を送信するステップとを実行し、前記サーバは、前記ネットワーク経由で、前記端末装置から情報取得要求を受信するステップと、前記受信した情報取得要求に前記エリア外識別情報が含まれているか否かを判断するステップと、前記受信した情報取得要求に前記エリア外識別情報が含まれていたとき、前記記憶部から前記受信した情報取得要求の要求対象である情報または、前記復号キーを読み出すステップと、前記読み出した情報または復号キーを前記端末装置へ送信するステップとを実行することを特徴とする情報送信方法とした。
【００２５】
これにより、この印刷物の購入者は、赤外線を照射している書店等では撮像できないが、印刷物を購入する等して、書店外（太陽光下や白熱灯下）に持ってくれば、印刷物に記された情報を撮像することができる。
その他の手段については、後記する実施の形態で述べる。
【発明の効果】
【００２６】
本発明によれば、
（１）書店、コンビニエンスストア等、所定のエリア内においては、デジタルカメラ付き携帯端末により、印刷物に記された情報の盗撮を防止することができる。
（２）所定のエリア内において情報の購入といった条件を満たした場合は印刷物に記された情報の取得することができる。
（３）印刷物を購入し、所定のエリア外に持ち出した場合においては、例えば無料といったエリア外の条件にしたがい、印刷物に記された情報の取得することができる。
【発明を実施するための最良の形態】
【００２７】
本発明を実施するための最良の形態（以下、実施の形態とする）について、図面を参照しつつ説明する。
【００２８】
本実施の形態では、印刷物は、書店内で販売される雑誌等の書籍であり、印刷物に記される情報は、店舗関連情報である場合を例に説明する。また、この印刷物の盗撮を防止するエリア（書店）には、赤外線照射装置が設置され、この赤外線照射装置は、印刷物に所定の波長の赤外線を照射しているものとする。端末装置は、撮像装置であるデジタルカメラと、印刷物１００の記されたコード（二次元コード等）を読み取る機能とを備える携帯端末（デジタルカメラ付き携帯端末）である場合を例として説明する。なお、デジタルカメラはＣＣＤ（Charge-Coupled Devices）を備えるものである。デジタルカメラ付き携帯端末は、携帯電話機や、ＰＤＡ（Personal Digital Assistant）等により実現され、二次元コードの読み取り機能や所定の通信機能を備えるデジタルカメラ等を用いるようにしてもよい。また、デジタルカメラ付き携帯端末は、以下「カメラ付き携帯端末」と略す。
【００２９】
《第１の実施の形態》
図１は、本発明の第１の実施の形態の印刷物を説明する図である。図１を用いて、第１の実施の形態の印刷物１００を説明する。印刷物１００は、例えば、紙１１１上に符号１〜符号３で示す情報を記したものである。ここでは、印刷物１００の媒体が紙１１１である場合を例に説明するが、これに限定されるものではない。
【００３０】  符号１は、文字で記された店舗関連情報であり、ここでは、店舗の電話番号（0422-xx）と、ＵＲＬ（公序良俗違反につき、不掲載）とを示している。符号２,３は、店舗関連情報を二次元コード化したものである。【００３１】
なお、符号１,２で示す情報は、紙１１１上に、通常の印刷用インク等で印刷される。そして、印刷された情報（符号１,２）の上には、照射される光のうち可視光を透過させるが、書店内に設置される赤外線照射装置が照射する赤外線を蛍光反射する赤外線蛍光塗料（第１の赤外線蛍光塗料）が付される（領域１１０参照）。つまり、符号１,２で示す情報は、第１の赤外線蛍光塗料によりマスクされている。また、符号３で示す二次元コードは、第１の赤外線蛍光塗料とは異なる波長の光で反応する（蛍光させる）第２の赤外線蛍光塗料により印刷される。ここでは、第２の赤外線蛍光塗料は、書店内の赤外線照射装置により照射される赤外線には反応しないが、それ以外の波長の赤外線には反応する塗料であるものとして説明する。
なお、各実施の形態では、塗料に赤外線蛍光塗料を用いる場合を例に説明するが、このかわりに、照射される光のうち可視光を透過させるが、所定の波長の赤外線を反射する赤外線反射塗料を用いるようにしてもよい。
【００３２】
図２（ａ）は図１の印刷物を肉眼で見た様子、（ｂ）は赤外線下において図１の印刷物をカメラ付き携帯端末で撮像した画像、（ｃ）は太陽光下および白熱灯下において図１の印刷物をカメラ付き携帯端末で撮像した画像を例示した図である。図１を参照しつつ、図２（ａ）〜（ｃ）を用いて、カメラ付き携帯端末により撮像された印刷物１００の画像について説明する。
【００３３】
まず、図２（ａ）において、印刷物１００の領域１１０は、第１の赤外線蛍光塗料でマスクされている。この第１の赤外線蛍光塗料は可視光を透過し、また赤外線照射装置（赤外線ランプ）５により赤外線が照射されても肉眼では蛍光した赤外線は見えない。したがって、赤外線照射装置５により赤外線が照射された書店内において、書店内の客は、符号１で示す店舗関連情報および符号２で示す二次元コードを肉眼で読み取ることができる。また、符号３で示す二次元コードは、第２の赤外線蛍光塗料で印刷されているので、肉眼では読み取ることはできない。
しかし、書店の利用者は、印刷物１００を購入する等して、蛍光灯の光が照射される室内等、赤外線が少ない場所に印刷物１００を持って来れば、カメラ付き携帯端末で、通常塗料で印刷された符号１,２で示す情報を直接撮像することができる。
【００３４】
図２（ｂ）において、印刷物１００の領域１１０は、第１の赤外線蛍光塗料によりマスクされており、また、符号３で示す二次元コードも、書店内の赤外線照射装置５が照射する赤外線には反応しない第２の赤外線蛍光塗料で印刷されているので、赤外線を照射した書店内においてカメラ付き携帯端末で撮像することはできない。つまり、書店内において印刷物１００に赤外線を照射することで、カメラ付き携帯端末により、符号１〜３で示す情報が盗撮されるのを防止できる。
【００３５】
また、図２（ｃ）において、太陽光および白熱灯には広い光の波長成分が含まれるため、太陽光および白熱灯の下では、印刷物１００の領域１１０の第１の赤外線蛍光塗料が蛍光する。したがって、書店外においてカメラ付き携帯端末で撮像しようとしても、印刷物１００の符号１,２で示す情報を撮像することはできない。
【００３６】
しかし、符号３で示す二次元コードは、太陽光や白熱灯の下で反応する第２の赤外線蛍光塗料により印刷されているので、カメラ付き携帯端末で、符号３で示す二次元コードを撮像することができる。つまり、書店の利用者は、印刷物１００を購入する等して、太陽光や白熱灯の下に印刷物１００を持ってくれば、カメラ付き携帯端末で、符号３で示す二次元コードを撮像できる。すなわち、書店の利用者は、この二次元コードに示される店舗関連情報を取得することができる。
【００３７】
図３は、光波長に対する受光体の光感度分布と、光源のスペクトル分布とを示した図である。図３において、符号１０は肉眼の感度、符号１１はデジタルカメラの感度、符号１２は太陽光のスペクトル分布、符号１３は白熱灯のスペクトル分布、符号１４は蛍光灯のスペクトル分布、符号１５は書店内を照射する赤外線照射装置５（図２（ｂ）参照）のスペクトル分布を示す。符号１６は、本実施の形態の第１の赤外線蛍光塗料の蛍光感度を示し、赤外線波長９００ｎｍ付近である。符号１７は、本実施の形態の第２の赤外線蛍光塗料の蛍光感度を示し、赤外線波長１０００ｎｍ付近である。図３に示すように、蛍光灯下および赤外線の少ない場所（例えば、自宅等）では、第１の赤外線蛍光塗料および第２の赤外線蛍光塗料は蛍光せず、肉眼でもデジタルカメラ（カメラ付き携帯端末）でも判別されない。また、書店内の赤外線照射装置５の下では、第１の赤外線蛍光塗料が蛍光し、デジタルカメラには撮像されるが、肉眼には判別されない。さらに、太陽光下および白熱灯下では、第１の赤外線蛍光塗料および第２の赤外線蛍光塗料が蛍光し、共にデジタルカメラには撮像されるが肉眼には判別されないようにすることが可能となる。
【００３８】
このように印刷物１００において、
（１）書店内で盗撮されたくない情報を第１の赤外線蛍光塗料でマスクし、
（２）購入後には撮像させたい情報を第２の赤外線蛍光塗料で印刷し、
（３）書店内等盗撮されたくないエリアには印刷物１００に、第１の赤外線蛍光塗料は反応するが、第２の赤外線蛍光塗料は反応しない赤外線を照射する赤外線照射装置５で赤外線を照射すること
により、印刷物１００の情報の盗撮を防止することができる。また、印刷物１００の購入者に対しては、室内等の赤外線の少ない場所では、情報を直接撮像可能であり、屋外や白熱灯下等では、第２の赤外線蛍光塗料で印刷された情報から、店舗関連情報を取得可能とすることができる。
【００３９】
《第２の実施の形態》
次に、本発明の第２の実施の形態を説明する。第２の実施の形態は、カメラ付き携帯端末２１（図６参照）が書店内で印刷物１００に記された情報を読み取ったとき、利用者の代金の支払いを条件にその情報を取得できることを特徴とする。前記した第１の実施の形態と同様の構成要素は同じ符号を付して、説明を省略する。
【００４０】
図４は、第２の実施の形態の印刷物を例示した図である。図４を用いて第２の実施の形態の印刷物１００を説明する。
【００４１】
印刷物１００は、前記した符号１,２で示す情報に加え、符号３３で示す二次元コードを含む。符号３３で示す二次元コードは、暗号化された店舗関連情報と、この情報の復号キーを格納するアクセスサーバのＵＲＬとを示したものである。符号３３で示す二次元コードは、紙１１１上に第１の赤外線蛍光塗料で印刷されている。また、アクセスサーバのＵＲＬは、例えば、アクセスサーバのアドレス情報と、店舗関連情報の識別情報との組み合わせで記される。
【００４２】
例えば、符号３３で示す二次元コードには、暗号化された店舗関連情報と、アクセスサーバのＵＲＬ「http：//server.ne.jp/param?book=jyouhoushi」とが記される。ここでアクセスサーバのアドレス情報部分は「http：//server.ne.jp/」であり、店舗関連情報の識別情報部分は「book=jyouhoushi」である。つまり、この情報を読み取ったカメラ付き携帯端末は、ネットワーク経由でアクセスサーバにアクセスして復号キーを要求するとき、「http：//server.ne.jp/」というアドレスのアクセスサーバに対し、「book=jyouhoushi」という識別情報を送信して、この店舗関連情報の復号キーを要求する。つまり、店舗関連情報の取得要求を行う。
【００４３】
図５（ａ）は図４の印刷物を肉眼で見た様子、（ｂ）は赤外線下において図４の印刷物をカメラ付き携帯端末で撮像した画像を例示した図である。図１〜図４を参照しつつ、図５（ａ）,（ｂ）を用いて、カメラ付き携帯端末により撮像された印刷物１００の画像について説明する。
【００４４】
まず、図５（ａ）は、第１の実施の形態の図２（ａ）と同様に、領域１１０は可視光を透過する第１の赤外線蛍光塗料でマスクされているので、店舗関連情報（符号１）および二次元コード（符号２）を肉眼で読み取ることができる。
【００４５】
また、符号３３で示す二次元コードは、第１の赤外線蛍光塗料で印刷されているので、肉眼では読み取ることはできない。なお、蛍光灯下の室内等、赤外線が少ない場所では、カメラ付き携帯端末２１で、符号１,２で示す情報を直接撮像することができる。
【００４６】
図５（ｂ）の赤外線下において、印刷物１００の領域１１０は第１の赤外線蛍光塗料によりマスクされているのでカメラ付き携帯端末２１は、符号１,２で示す情報を撮像することができない。一方、符号３３で示す二次元コードは、第１の赤外線蛍光塗料で印刷されているので、カメラ付き携帯端末２１で撮像することができる。つまり、書店内においてカメラ付き携帯端末２１は、暗号化された店舗関連情報と、アクセスサーバのＵＲＬとを取得することができる。ちなみに、太陽光下や白熱灯下でも、図５（ｂ）と同様にカメラ付き携帯端末２１は、暗号化された店舗関連情報と、アクセスサーバのＵＲＬとを取得することができる。
【００４７】
図６は、本実施の形態の印刷物を用いた情報送信システムの構成を示すブロック図である。
【００４８】
本システムは、カメラ付き携帯端末２１、無線通信によりカメラ付き携帯端末２１へ位置情報（書店識別情報）を送信する書店サーバ２２、アクセスサーバ２５、出版社のデータサーバ２６、コンテンツサーバ２７およびこれらを接続するネットワーク２４を含んで構成される。
なお、書店サーバ２２は、ネットワーク２４に接続される無線ＬＡＮの基地局（ホットスポット等）であってもよい。この基地局は、例えば、所定近距離内の端末装置との無線通信を実行し、位置情報として、所定のエリアであることを示すエリア識別情報を端末装置へ送信するようにしてもよい。また、このネットワーク２４は、例えば、ＩＰ（Internet Protocol）網、インターネット、ＬＡＮ（Local Area Network）等である。
【００４９】
カメラ付き携帯端末２１は、内蔵のデジタルカメラ（撮像装置）から出力された画像（二次元コード等）を取得する。そして、この画像（二次元コード）から印刷物１００に記された情報を読み取る機能、つまり二次元コードを解釈し、アドレス情報等に変換する機能を備える。また、カメラ付き携帯端末２１は、このアドレス情報に基づき、ネットワーク２４経由でコンテンツサーバ２７あるいはアクセスサーバ２５との通信を行う機能を備える。さらに、カメラ付き携帯端末２１は、書店サーバ２２から送信されるエリア識別情報を受信する無線通信機能を備える。
【００５０】
アクセスサーバ２５は、店舗関連情報が掲載される雑誌名、ページ、店舗識別情報（店舗関連情報の識別情報）を格納するサーバである。このアクセスサーバ２５は、例えば、ネットワーク２４経由で様々な出版社から収集した店舗関連情報を公開するポータルサイト（Ｗｅｂサーバ）である。カメラ付き携帯端末２１は、二次元コードを読み取ると、ネットワーク２４経由で、アクセスサーバ２５にアクセスする。このアクセスサーバ２５は、記憶部に店舗関連情報が掲載される雑誌の雑誌名、ページ、店舗識別情報、復号キー等を格納している（表１参照）。表１は、アクセスサーバ２５の記憶部に格納される情報を例示した表である。表１において、雑誌名「ＡＡ」のページ「ＢＢ」には、店舗識別情報「ＣＣ」の店舗関連情報が暗号化されて記されており、この店舗関連情報の復号キーは「ＤＤ」であることを示している。
【００５１】
【表１】
2006289744.tif 000002
例えば、アクセスサーバ２５は、カメラ付き携帯端末２１から店舗識別情報「ＣＣ」を含む復号キーの取得要求を受け取ったとき、このカメラ付き携帯端末２１の利用者の料金の支払い等所定の条件を満たせば、店舗識別情報「ＣＣ」の復号キーをカメラ付き携帯端末２１へ送信する。
【００５２】
また、出版社のデータサーバ２６も、店舗関連情報を掲載した雑誌の雑誌名、ページ、店舗識別情報、復号キーに関する情報を格納する。格納される情報は、前記した表１に例示した内容と同様の情報であるので説明を省略する。
なお、コンテンツサーバ２７は、記憶部に店舗関連情報等を格納するサーバである。また、書店サーバ２２、アクセスサーバ２５、出版社のデータサーバ２６およびコンテンツサーバ２７はそれぞれ、記憶部、演算処理部、入出力インタフェース、ネットワークインターフェース等を備え、ネットワーク２４経由でデータの送受信を行うコンピュータにより実現される。また、各サーバおよびカメラ付き携帯端末２１の個数は、図６に示す個数に限定されない。
【００５３】
図７は、書店内において利用者がカメラ付き携帯端末で店舗関連情報を撮像した場合の本システムの動作を示すフローチャートである。適宜図１〜図６を参照しつつ、図７を用いて、店内において利用者がカメラ付き携帯端末２１で店舗関連情報を撮像する場合の本システムの動作を説明する。なお、ここでは、印刷物１００は雑誌である場合を例に説明する。
【００５４】
コンテンツサーバ２７は、雑誌（印刷物１００）への掲載を依頼する店舗関連情報等を出版社のデータサーバ２６へ送信する（Ｓ７１）。
【００５５】
出版社は、店舗関連情報と、この店舗関連情報を二次元コード化したものとを通常塗料で印刷し、これらを第１の赤外線蛍光塗料でマスクする。また、このとき併せて、出版社は、店舗関連情報を掲載した雑誌名、ページ、店舗識別情報と、店舗関連情報を暗号化した情報と、アクセスサーバ２５のＵＲＬとを二次元コード化して第１の赤外線蛍光塗料で印刷し、雑誌に掲載する。
【００５６】
さらに、出版社のデータサーバ２６は、店舗関連情報を掲載する雑誌名、ページ、店舗識別情報等を店舗関連情報の復号キーとともにアクセスサーバへ送信しておく（Ｓ７３）。そして、出版社は書店へ雑誌を出荷する。
【００５７】
一方、利用者がカメラ付き携帯端末２１を持って書店に入ると、カメラ付き携帯端末２１は無線通信等により書店サーバ２２から、書店識別情報を受信する（Ｓ７４）。
【００５８】
次に、利用者がカメラ付き携帯端末２１で雑誌の画像を撮像すると、書店内は赤外線照射装置５で照射されているため、第１の赤外線蛍光塗料で印刷された二次元コード（図４の符号３３）が撮像される（Ｓ７５）。なお、Ｓ７５において、第１の赤外線蛍光塗料でマスクされた店舗関連情報（図４の符号１参照）や二次元コード（図４の符号２参照）は撮像されない。カメラ付き携帯端末２１は、この二次元コードの内容とＳ７４で受信した書店識別情報とを含む店舗関連情報（店舗関連情報の復号キー）の取得要求をアクセスサーバ２５へ送信する（Ｓ７６）。つまり、カメラ付き携帯端末２１は、デジタルカメラで撮像した画像（二次元コード）を取得すると、この二次元コードを解釈し、解釈した情報に示されるアドレス情報に基づき、ネットワーク２４経由でアクセスサーバ２５へ情報取得要求を送信する。
【００５９】
アクセスサーバ２５は、Ｓ７６で送信された店舗関連情報の取得要求を受信すると、この取得要求に書店識別情報が含まれているか否かを判断する（Ｓ７７）。ここで、店舗関連情報の取得要求に書店識別情報が含まれていたとき、アクセスサーバ２５は、書店識別情報に応じた情報の取得条件として、カメラ付き携帯端末２１へ店舗関連情報の料金と購入確認メッセージとを返送する（Ｓ７８）。なお、店舗関連情報の取得要求に書店識別情報が含まれていなかったときは、書店外（購入され、書店の外に持ち出された）と判断し、Ｓ８１へ進み、アクセスサーバ２５は復号キーを送信する。
【００６０】
カメラ付き携帯端末２１は、液晶モニタ等の表示部（図示せず）に、店舗関連情報の料金と購入確認メッセージとを表示する（Ｓ７９）。ここでカメラ付き携帯端末２１の入力部（図示せず）から、店舗関連情報の購入希望の返信をする旨の入力があると、カメラ付き携帯端末２１は、この購入希望メッセージをアクセスサーバ２５へ送信する（Ｓ８０）。
【００６１】
アクセスサーバ２５は、この購入希望メッセージを受信すると、カメラ付き携帯端末２１へ店舗関連情報の復号キーを記憶部から読み出し、送信する（Ｓ８１）。これを受けてカメラ付き携帯端末２１は、暗号化された店舗関連情報を復号し、表示部に表示する（Ｓ８２）。つまり、カメラ付き携帯端末２１は店舗関連情報を取得し、このカメラ付き携帯端末２１の利用者は、この店舗関連情報を利用することができる。
【００６２】
なお、ここでの店舗関連情報の料金は、カメラ付き携帯端末２１の通信料金の一部に付加して利用者へ請求するようにしてもよいし、利用者がアクセスサーバ２５に予めチャージ（入金）しておいたプリペイド分から減算するようにしてもよい。また、徴収した料金からアクセスサーバ２５が出版社へ店舗関連情報提供の料金を支払い、書店に書店サーバ２２の設置料金を支払うようにしてもよい。
【００６３】
このようにすることで、カメラ付き携帯端末２１の利用者は、書店内においてカメラ付き携帯端末２１で雑誌に掲載された情報を撮像した場合、料金支払い等、所定の条件を満たすことで、情報を取得することができる。
【００６４】
《第３の実施の形態》
次に、本発明の第３の実施の形態を説明する。第３の実施の形態は、カメラ付き携帯端末２１（図６参照）が、書店外の場所で印刷物１００の情報を読み取ったとき、この情報が書店外で読み取ったものであることを示す識別情報（書店外識別情報）を併せて読み取るようにしたことを特徴とする。具体的には、本実施の形態の印刷物１００は、所定領域に、第２の赤外線蛍光塗料で印刷された書店外識別情報を含むことを特徴とする。なお、この書店外識別情報は、請求項におけるエリア外識別情報に相当する。
【００６５】
本実施の形態において、カメラ付き携帯端末２１は、書店外のエリア（太陽光下や白熱灯下）では書店外識別情報を読み取るが、書店内のエリア（赤外線下）では書店外識別情報を読み取らない。つまり、書店内のエリア（赤外線下）では、カメラ付き携帯端末２１は、書店外識別情報をコンテンツサーバ２７へ送信しない。したがって、例えば、書店内に書店サーバ２２（図６参照）を設置しなくても、コンテンツサーバ２７は、カメラ付き携帯端末２１からの情報取得要求が、書店内からのものであるか、書店外からのものであるかを判断することができる。
【００６６】
図８は、第３の実施の形態の印刷物を例示した図である。適宜図１〜図７を参照しつつ、図８を用いて第３の実施の形態の印刷物１００を説明する。なお、システムの全体構成は、第２の実施の形態のシステムから、書店サーバ２２を除いたものとなる。
【００６７】
第３の実施の形態の印刷物１００は、符号１で示す情報と、符号２で示す二次元コードと、符号４３で示す二次元コードと、符号４４で示す二次元コードとを含む。符号１で示す情報および符号２で示す二次元コードは、前記したものと同じであるので説明を省略する。符号４３で示す二次元コードは、店舗関連情報を掲載した雑誌名、ページ、店舗識別情報と、暗号化した店舗関連情報とアクセスサーバ２５（またはコンテンツサーバ２７）のＵＲＬとを二次元コード化したものであり、第１の赤外線蛍光塗料で紙１１１に印刷される。
【００６８】
符号４４で示す二次元コードは、書店外識別情報を二次元コード化して、第２の赤外線蛍光塗料で紙１１１に印刷される。このエリア外識別情報は、この印刷物１００が所定のエリア以外の場所にあることを示す情報である。なお、この書店外識別情報は、請求項におけるエリア外識別情報に相当する。
【００６９】
図９（ａ）は図８の印刷物を肉眼で見た様子、（ｂ）は赤外線下において図８の印刷物をカメラ付き携帯端末で撮像した画像、（ｃ）は太陽光下および白熱灯下において図８の印刷物をカメラ付き携帯端末で撮像した画像を例示した図である。図１〜図８を参照しつつ、図９（ａ）〜（ｃ）を用いて、カメラ付き携帯端末２１により撮像された印刷物１００の画像について説明する。
【００７０】
まず、図９（ａ）においては、第１の実施の形態の図２（ａ）と同様に、領域１１０は可視光を透過する第１の赤外線蛍光塗料でマスクされているので、店舗関連情報（符号１）および二次元コード（符号２）は肉眼で読み取ることができる。
【００７１】
また、符号４３で示す二次元コードは、第１の赤外線蛍光塗料で印刷されているので、肉眼では読み取ることはできない。さらに、符号４４で示す二次元コードは、第２の赤外線蛍光塗料で印刷されているので、肉眼では読み取ることができない。なお、蛍光灯下の室内等、赤外線が少ない場所では、カメラ付き携帯端末２１により符号１,２で示す情報を直接撮像することができる。
【００７２】
図９（ｂ）の赤外線下において、領域１１０は第１の赤外線蛍光塗料によりマスクされているのでカメラ付き携帯端末２１は、符号１,２で示す情報を撮像することができない。
符号４３で示す二次元コードは、第１の赤外線蛍光塗料で印刷されているので、カメラ付き携帯端末２１で撮像することができる。つまり、カメラ付き携帯端末２１は、書店内ではアクセスサーバ２５のＵＲＬを取得することができる。
符号４４で示す二次元コードは、赤外線照射装置５から照射される赤外線に反応しない第２の赤外線蛍光塗料で印刷されているので、カメラ付き携帯端末２１で撮像することはできない。つまり、カメラ付き携帯端末２１は、書店内では書店外識別情報を取得することができない。
【００７３】
また、図９（ｃ）の太陽光や白熱灯において、領域１１０は第１の赤外線蛍光塗料によりマスクされているので、カメラ付き携帯端末２１は、符号１,２で示す情報を撮像することができない。
符号４３で示す二次元コードは、第１の赤外線蛍光塗料で印刷されているので、カメラ付き携帯端末２１により撮像することができる。つまり、カメラ付き携帯端末２１は、太陽光や白熱灯下ではアクセスサーバ２５のＵＲＬを取得することができる。
また、符号４４の二次元コードは、第２の赤外線蛍光塗料で印刷されているので、カメラ付き携帯端末２１で撮像することができる。つまり、カメラ付き携帯端末２１は、太陽光や白熱灯下では書店外識別情報を取得することができる。
【００７４】
図１０および図１１は、書店外において利用者がカメラ付き携帯端末で店舗関連情報を撮像した場合の情報送信システムの動作を示すフローチャートである。適宜図１〜図９を参照しつつ、図１０および図１１を用いて、書店外において利用者がカメラ付き携帯端末２１で店舗関連情報を撮像する場合のシステムの動作を説明する。
【００７５】
まず、雑誌（印刷物１００）への掲載を依頼する店舗関連情報と、この店舗関連情報を暗号化した情報と、店舗識別情報と、コンテンツサーバ２７のＵＲＬとをコンテンツサーバ２７から出版社のデータサーバ２６へ送信する（Ｓ１００１）。
【００７６】
出版社は、店舗関連情報と、店舗関連情報を二次元コード化したものとを通常塗料で印刷し、これらの上を第１の赤外線蛍光塗料でマスクする。また、このとき併せて、出版社は、店舗関連情報を掲載した雑誌名、ページ、店舗識別情報と、店舗関連情報を暗号化した情報と、アクセスサーバ２５のＵＲＬとを二次元コード化して第１の赤外線蛍光塗料で印刷し、雑誌に掲載する。また、出版社は、書店外識別情報を二次元コード化したものを第２の赤外線蛍光塗料で印刷し、雑誌に掲載する。そして、出版社のデータサーバ２６は、店舗関連情報を掲載する雑誌名、ページ、店舗識別情報、コンテンツサーバ２７のＵＲＬを記憶部に格納する。
【００７７】
表２は、データサーバ２６の記憶部に格納される情報を例示した表である。表２において、雑誌名「ＡＡ」のページ「ＢＢ」に、店舗識別情報「ＣＣ」の店舗関連情報が掲載されており、この店舗関連情報の復号キーを送信するコンテンツサーバ２７のＵＲＬは「ＥＥ」であることを示している。
【００７８】
【表２】
2006289744.tif 000003
【００７９】
そして、出版社のデータサーバ２６は、店舗関連情報の掲載される雑誌名、ページ、店舗識別情報をアクセスサーバ２５へ送信する（Ｓ１００３）。
【００８０】
出版社は雑誌を書店へ出荷する。そして、利用者は、書店で雑誌を購入し、屋外等の太陽光下においてカメラ付き携帯端末２１で、第１の赤外線蛍光塗料により印刷された二次元コード（図８の符号４３）および第２の赤外線蛍光塗料により印刷された二次元コード（符号４４）を撮像する（Ｓ１００４）。
【００８１】
次に、カメラ付き携帯端末２１は撮像した符号４３で示す二次元コードを解釈して、店舗関連情報を掲載する雑誌名、ページ、店舗識別情報を取得する。また、符合４４の二次元コードを解釈して、書店外識別情報を取得する。そして、カメラ付き携帯端末２１は、店舗関連情報を掲載する雑誌名、ページ、店舗識別情報および書店外識別情報を含む店舗関連情報の取得要求（復号キーの取得要求）をアクセスサーバ２５へ送信する（Ｓ１００５）。
【００８２】
アクセスサーバ２５では、受信した店舗関連情報の取得要求に書店外識別情報が含まれているか否かを判断する（Ｓ１００６）。
【００８３】
ここで、店舗関連情報の取得要求に書店外識別情報が含まれていたとき、アクセスサーバ２５は、受信した店舗関連情報の取得要求（雑誌名、ページ、店舗識別情報等）を出版社のデータサーバ２６へ転送する（Ｓ１００７）。なお、Ｓ１００６において、アクセスサーバ２５が、店舗関連情報の取得要求に書店外識別情報が含まれていないと判断したとき、すなわち、書店内でカメラ付き携帯端末２１から店舗関連情報の取得要求がされたと判断したときは、第２の実施の形態における図７のＳ７８〜Ｓ８０の手順と同様に、アクセスサーバ２５は、カメラ付き携帯端末２１に対し、店舗関連情報の購入確認を行う。つまり、アクセスサーバ２５は、カメラ付き携帯端末２１に対し、情報の購入確認メッセージを送信し、このカメラ付き携帯端末２１から購入希望メッセージを受信したとき、Ｓ１００７の処理へ進む。
【００８４】
なお、本システムにおいて出版社のデータサーバ２６が複数あるとき、アクセスサーバ２５が、店舗関連情報の取得要求を転送すべき出版社のデータサーバ２６は、店舗関連情報の取得要求に含まれる雑誌名や店舗識別情報等に基づき特定する。例えば、アクセスサーバ２５は、記憶部に、雑誌名や店舗識別情報ごとにその雑誌の出版社のデータサーバ２６のＵＲＬ（アドレス）を示した情報を格納しており、店舗関連情報の取得要求を受信すると、この取得要求に含まれる雑誌名や店舗識別情報をキーとして、出版社のデータサーバ２６を特定する。
【００８５】
図１１の出版社のデータサーバ２６は、図１０のＳ１００７で受信した店舗関連情報の取得要求に含まれる店舗識別情報をキーとして、データサーバ２６の記憶部を検索し、コンテンツサーバ２７のＵＲＬを特定する（Ｓ１１０１）。
【００８６】
そして、出版社のデータサーバ２６は、コンテンツサーバ２７へＳ１００７で受信した情報（雑誌名、ページ、店舗識別情報）を転送する（Ｓ１１０２）。
【００８７】
コンテンツサーバ２７は、データサーバ２６から転送された情報（雑誌名、ページ、店舗識別情報等）をキーとして、記憶部を検索して店舗関連情報（店舗関連情報の復号キー）を特定する（Ｓ１１０３）。そして、この記憶部からこの店舗関連情報の復号キーを読み出し、カメラ付き携帯端末２１へ送信する（Ｓ１１０４）。カメラ付き携帯端末２１は、受信した復号キーにより、雑誌から読み取った店舗関連情報（暗号化された店舗関連情報）を復号し、表示部に表示する（Ｓ１１０５）。
【００８８】
また、自宅等の蛍光灯下および赤外線の少ない場所では、第１の赤外線蛍光塗料で印刷された二次元コード（符号４３）および第２の赤外線蛍光塗料で印刷された二次元コード（符号４４）は撮像されず、通常塗料で印刷された二次元コード（符号２）が撮像される。したがって、カメラ付き携帯端末２１はコンテンツサーバ２７へ直接アクセスすることができる。
【００８９】
本発明は、前記した実施の形態に限定されず、発明の趣旨を逸脱しない範囲で応用可能である。
【００９０】
例えば、前記した実施の形態では、出版社のデータサーバ２６、アクセスサーバ２５およびコンテンツサーバ２７は別個のサーバとしたが、これらサーバの機能を１つのサーバで提供するようにしてもよい。
【００９１】
また、アクセスサーバ２５あるいはコンテンツサーバ２７が、出版社のデータサーバ２６から店舗関連情報を掲載した雑誌名、ページ等の情報を事前に受信しておいてもよいし、カメラ付き携帯端末２１からアクセスがある都度、データサーバ２６またはコンテンツサーバ２７へ問い合わせてもよく、その場合においても本発明の効果に何ら影響はない。
【００９２】
さらに、第２の実施の形態で述べた書店識別情報は、カメラ付き携帯端末２１が携帯電話機の基地局との交信により得られる位置情報により、書店内であることを判断して、生成してもよい。また、第３の実施の形態で述べた書店外識別コードも、カメラ付き携帯端末２１が、携帯電話機の基地局との交信により得られる位置情報により、書店外であることを判別して生成してもよい。
【００９３】
さらに、カメラ付き携帯端末２１は、書店内に設置される赤外線照射装置５の赤外線照射パターンや書店内の照明の照射パターンにより、書店識別情報を取得するようにしてもよい。つまり、カメラ付き携帯端末２１は、この照射パターンごとに書店識別情報（エリア識別情報）を示したパターンテーブルを格納し、デジタルカメラや赤外線ポート経由で入力される赤外線や照明と、このパターンテーブルとを参照して書店識別情報を特定するようにしてもよい。
【００９４】
また、アクセスサーバ２５（コンテンツサーバ２７）は、エリア識別情報（書店識別情報）ごとに、情報送信の条件を示したテーブルを格納し、このテーブルに示されたデータ送信条件にしたがって、情報送信をするようにしてもよい。
【００９５】
さらに、前記した実施の形態では、印刷物１００の第１の赤外線蛍光塗料で印刷された情報は、暗号化された情報であり、復号キーを用いてこの情報の内容を取得することとしたが、これに限定されるものではない。
例えば、印刷物１００の第１の赤外線蛍光塗料で印刷された情報は、アクセスサーバ２５（コンテンツサーバ２７）のＵＲＬや店舗識別情報とし、店舗関連情報自体はサーバ側で格納しておくようにする。そして、カメラ付き携帯端末２１が、二次元コードを解釈して、このサーバへアクセスし、所定の条件をクリアして、サーバからパスワードが発行されたとき、カメラ付き携帯端末２１が、このパスワードをサーバへ返信して、サーバから店舗関連情報をダウンロードするようにしてもよい。
【００９６】
また、前記した実施の形態では、印刷物１００に記される情報は、店舗関連情報である場合を例に説明したが、これ以外の情報であってもよい。さらに、印刷物１００の情報は二次元コードにより記述する場合を例に説明したが、カメラ付き携帯端末２１がこれ以外のコード（バーコード等）の読み取り機能を備えていれば、二次元コード以外のコードにより記述するようにしてもよい。
【図面の簡単な説明】
【００９７】
【図１】本発明の第１の実施の形態の印刷物を説明する図である。
【図２】（ａ）は図１の印刷物を肉眼で見た様子、（ｂ）は赤外線下において図１の印刷物をカメラ付き携帯端末で撮像した画像、（ｃ）は太陽光下および白熱灯下において図１の印刷物をカメラ付き携帯端末で撮像した画像を例示した図である。
【図３】光波長に対する受光体の光感度分布と、光源のスペクトル分布とを示した図である。
【図４】第２の実施の形態の印刷物を例示した図である。
【図５】（ａ）は図４の印刷物を肉眼で見た様子、（ｂ）は赤外線下において図４の印刷物をカメラ付き携帯端末で撮像した画像を例示した図である。
【図６】本実施の形態の印刷物を用いた情報送信システムの構成を示すブロック図である。
【図７】書店内において利用者がカメラ付き携帯端末で店舗関連情報を撮像した場合の情報送信システムの動作を示すフローチャートである。
【図８】第３の実施の形態の印刷物を例示した図である。
【図９】（ａ）は図８の印刷物を肉眼で見た様子、（ｂ）は赤外線下において図８の印刷物をカメラ付き携帯端末で撮像した画像、（ｃ）は太陽光下および白熱灯下において図８の印刷物をカメラ付き携帯端末で撮像した画像を例示した図である。
【図１０】書店外において利用者がカメラ付き携帯端末で店舗関連情報を撮像した場合の情報送信システムの動作を示すフローチャートである。
【図１１】書店外において利用者がカメラ付き携帯端末で店舗関連情報を撮像した場合の情報送信システムの動作を示すフローチャートである。
【符号の説明】
【００９８】
５      赤外線照射装置
２１    カメラ付き携帯端末（端末装置）
２２    書店サーバ
２４    ネットワーク
２５    アクセスサーバ（サーバ）
２６    データサーバ（サーバ）
２７    コンテンツサーバ（サーバ）
１００  印刷物（雑誌）
【図１】
2006289744.tif 000004
【図２】
2006289744.tif 000005
【図３】
2006289744.tif 000006
【図４】
2006289744.tif 000007
【図５】
2006289744.tif 000008
【図６】
2006289744.tif 000009
【図７】
2006289744.tif 000010
【図８】
2006289744.tif 000011
【図９】
2006289744.tif 000012
【図１０】
2006289744.tif 000013
【図１１】
2006289744.tif 000014